【事件の表示】
　特願２０１６−１２０２３１「高電圧高周波絶縁トランス」拒絶査定不服審判事件〔平成２９年１２月２１日出願公開、特開２０１７−２２４７６６、請求項の数（７）〕について、次のとおり審決する。
【結　論】
　原査定を取り消す。
　本願の発明は、特許すべきものとする。
【理　由】
第１　手続の経緯
　本願は、平成２８年６月１６日の出願であって、令和元年１２月６日付けで拒絶理由が通知され、令和２年２月１３日に手続補正がなされ、令和２年５月１４日付けで拒絶査定がなされ、これに対し、令和２年９月８日に拒絶査定不服審判が請求され、同時に手続補正がなされたものである。
第２　原査定の概要
　原査定（令和２年５月１４日付け拒絶査定）の概要は次のとおりである。
「●理由１（特許法第３６条第６項第２号）について
　この出願は、特許請求の範囲の記載が下記の点で、特許法第３６条第６項第２号に規定する要件を満たしていない。
・請求項　１−３，５，７−１１
・特許できない理由
　補正後の請求項１−３、５には、ボビンを形成する「樹脂材料」が「低誘電率と高絶縁性とを有する」と記載されているが、該記載では、「ボビン」を形成する「樹脂材料」が具体的に特定できず、明確でない。
　また、請求項１、請求項３、又は、請求項５を直接又は間接的に引用する請求項のうち、具体的な樹脂を特定していない請求項７−１１についても同様である。
●理由２（特許法第２９条第２項）について
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　１，７−１０
・引用文献等　１−４，９
・請求項　２−４
・引用文献等　１−６，９
・請求項　２，５，６
・引用文献等　１−４，７−９
・請求項　１１，１２
・引用文献等　１−４，９
　　　　　　　　　　　　　＜引用文献等一覧＞
１．米国特許第５１７５５２５号明細書
２．特開２０１４−１２７６５０号公報
３．特開昭６３−３０５１５１号公報
４．特開昭６１−１５５４１０号公報
５．特開２００１−１１８９６３号公報
６．特開平５−２８３２４７号公報
７．特開２０１５−８８７５８号公報（周知技術を示す文献）
８．特開昭５３−６７８３０号公報
９．関井康夫、海老沼康光，基礎から応用まで　高電圧工学，日本，株式会社電気書院，２０１５年　３月，第79-83頁，[令和2年5月14日検索]、インターネット＜ＵＲＬ；http://www.denkishoin.co.jp/products/detail.php?product_id=692＞（新たに引用された文献；周知技術を示す文献）」
第３　審判請求時の補正について
　審判請求時の補正は、特許請求の範囲の請求項１について、気密封止する樹脂材料がボビンを形成する樹脂材料と同一の樹脂材料であることを明確にするとともに、ボビンを形成する樹脂材料の選択の仕方と樹脂材料の種類について限定を付加して、上記拒絶の理由に示された事項についての明瞭でない記載の釈明を行うとともに、明細書の記載を、該補正された特許請求の範囲の記載と整合させるものであるから、特許法第１７条の２第５項第２号、第４号に掲げる事項を目的とするものである。
第４　本願発明
　本願の請求項１ないし７に係る発明（以下、それぞれ「本願発明１」ないし「本願発明７」という。）は、令和２年９月８日の手続補正によって補正された特許請求の範囲の請求項１ないし７に記載された事項により特定される、次のとおりのものである（下線は、補正箇所を示す。）。
「【請求項１】
　磁路を構成する脚部を有するコアと、
　前記脚部に巻装される複数の巻線と、
　低誘電率と高絶縁性とを有する樹脂材料で成形され
た
　前記複数の巻線のうち高電圧が印加される巻線は、前記ボビンに巻き回されているとともに、
前記ボビンを形成する前記樹脂材料と同一の
　二
で表される、
での
（Vpd）が、所定の電圧値となるように、前記コアと前記高電圧が印加される巻線との間の前記空気層の厚さ（d1）と、前記コアと前記高電圧が印加される巻線との間の前記樹脂材料の厚さ（d2）と、比誘電率（εr）を有する前記樹脂材料とが選択され、
　Vpd = {d1+(d2/εr)}・Vp/d1      （１）
　Vpd；部分放電開始電圧[Vrms]、
　Vp；パッシェン（Paschen）電圧[Vrms]、
　d1；空気層の厚さ[m]、
　d2；
樹脂材料
　εr；
樹脂材料
、
　
前記樹脂材料は、ジシクロペンタジエン、ＰＴＦＥ（四フッ化エチレン）、ＰＳ（ポリスチレン）、ＰＥ（ポリエチレン）、ＡＢＳ（スチレン・ブタジエン・アクリロニトリル共重合体）、及びＡＳ（スチレン・アクリロニトリル共重合体）の中から選択された少なくとも１種の樹脂材料である
【請求項２】
　前記ボビンは、中心部に形成される筒部と、この筒部から延設される鍔部とからなることを特徴とする請求項１記載の高電圧高周波絶縁トランス。
【請求項３】
　前記高電圧が印加される巻線は、前記筒部に巻き回されるとともに、前記筒部と前記鍔部とで形成される空間内で、前記樹脂材料によって気密封止されることによって前記ボビンと一体に形成されることを特徴とする請求項２に記載の高電圧高周波絶縁トランス。
【請求項４】
　前記高電圧が印加される巻線は、一次巻線であることを特徴とする請求項１記載の高電圧高周波絶縁トランス。
【請求項５】
　二次巻線が、金属板をリング状に打ち抜いて形成された一枚以上の金属導体で構成されていることを特徴とする請求項４記載の高電圧高周波絶縁トランス。
【請求項６】
　複数の前記一次巻線と前記二次巻線とが、前記コアの前記脚部の一方端から他方端に向かって、前記二次巻線、前記一次巻線の順に交互に配置されていることを特徴とする請求項５記載の高電圧高周波絶縁トランス。
【請求項７】
　前記複数の一次巻線は、それぞれの巻線が直列に接続されていることを特徴とする請求項６記載の高電圧高周波絶縁トランス。」
第５　引用発明、引用文献等
１　引用文献１
　原査定の拒絶の理由に引用された引用文献１には、図面とともに次の事項が記載されている（下線は、当審で付与した。また、行数は、文献の中欄に記入されている行番号を用いた。）。
（１）「　FIELD OF THE INVENTION
 This invention relates to power transformers, and more particularly to an improved power transformer having a low profile, increased electromagnetic coupling between the primary and the secondary winding, and better isolation characteristics.」（第１欄第４−９行）
（当審訳:発明の技術分野
　本発明は、電力変圧器に関し、特に、低プロファイル、一次及び二次巻線間の電磁結合の増大、及び、より良好な絶縁特性を有する改善された電力変圧器に関するものである。)
（２）「 In power transformer 50, bobbin 56 provides the mechanical location of primary winding 58 and leads 60, 62. 
Bobbin 56 also provides insulation between primary winding 58 and the two ferrite cores 54, 72
ボビン56は、一次巻線58と２つのフェライトコア54, 72の間の絶縁を提供する。
（３）「 FIG. 3A is a drawing showing a perspective view of an exemplary primary winding 110 according to the present invention before the primary winding is encapsulated in an insulating material. 
Primary winding 110 comprises a bobbin 112,
made from plastic,
wound with winding wire 114.
一次巻線110は、
プラスチックから作られ、巻線114が巻回されたボビン112を有し
（４）「 FIG. 3D is a drawing showing a cross sectional view across line 2-2 of primary winding 130, shown in FIG. 3C.
 Primary winding 130 includes an insulating enclosure 140. Insulating enclosure 140 further comprises two portions, a portion 142 corresponding to bobbin 112,
and a portion 144 which results from overmolding,
一次巻線130は、絶縁エンクロージャ140を備えている。絶縁エンクロージャ140は、更に、２つの部分、即ち、
ボビン112に対応する部分142と、オーバーモールドからなる部分144を含む。
（５）「 
The plastic chosen for bobbin 112,
is a thermal plastic which is able to melt and reflow with overmolding plastic 144,
to form a homogeneous single part.
ボビン112のために選択されたプラスチックは、
オーバーモールド・プラスチック144とともに均質な単一部品を形成するために、溶融及びリフローすることができる熱可塑性樹脂である
（６）「 
The overmolding operation
Bobbin 112 is placed inside a mold tool.
The overmolding plastic which forms portion 144 is injected into the mold tool.
The injection pressure forces the overmolding plastic down to the bottom of bobbin 112 into winding wire 114.
オーバーモールド動作
ボビン112は、金型内に配置される。部分144を形成するオーバーモールド・プラスチックは金型に注入される。射出圧力は、オーバーモールド・プラスチックをボビン112の下方底部に押し出して巻線114に入る。
（７）「 FIG. 5 is an exploded view of a power transformer 210 according to the present invention. 
Power transformer 210 comprises a top ferrite core 212 having a center pole 214 and outer poles 216, 218, an insulated primary winding 220, a secondary winding 230 having two annulus windings 232, 234, and a bottom ferrite core 240 having a center pole 242 and outer poles 244, 246.
Insulated primary winding 220 is disposed inside the two annulus windings 232, 234 of secondary winding 230.
Ferrite cores 212 and 240 couple magnetic flux generated by primary winding 220 to secondary winding 230.
電力変圧器210は、中心磁極214と外側磁極216、218を有する頂部フェライトコア212、絶縁された一次巻線220、２つの環状巻線232、234、及び、中心磁極242と外側磁極244、246を有する底部フェライトコア240を有している。絶縁された一次巻線220は二次巻線230の2個の環状巻線232、234の内側に配置され
フェライトコア212、240は、一次巻線220により発生する磁束を二次巻線230に結合する
（８）「 Although the exploded view in FIG. 5 shows that primary winding 220 is separated from secondary winding 230, primary winding 220, when transformer 210 is assembled, 
is
inserted between the two annulus windings 232, 234 of secondary winding 230.
二次巻線230の２つの環状巻線232、234の間に挿入され
（９）「 The components shown in FIG. 5, i.e., 
top ferrite core 212, primary winding 220, secondary winding 230 and bottom ferrite core 240, are coaxially assembled such that their vertical axes,
coincide. Top ferrite core 212 has a shaped recess 217 and bottom ferrite core 240 has a shaped recess 247 for accepting primary winding 220 and secondary winding 230. Primary winding 220 has a hole 225 for accepting center pole 214 of top ferrite core 212 and center pole 242 of bottom ferrite core 240.
center openings of annulus windings 232, 234 
center poles 214, 242 can pass through.
頂部フェライトコア212、一次巻線220、二次巻線230と、底部フェライトコア240は、垂直軸線
が一致するように同軸上に組み立てられる。一次巻線220および二次巻線230を受け入れるように、頂部フェライトコア212は凹部217を有し、底部フェライトコア240は凹部247を有している。一次巻線220は、頂部フェライトコア212の中心磁極214及び底部フェライトコア240の中心磁極242を受け入れるための孔225を有し
環状巻線232、234の中央開口部
は
中心磁極214、242が通過でき
（１０）「 FIG. 6 shows a cross sectional view of the assembled power transformer 210 shown in FIG. 5 taken along the line 3-3. The parts in FIG. 6 which are the same as the corresponding parts in FIG. 5 are assigned the same numeral reference. FIG. 6 shows 
primary winding 220 being placed between annulus windings 232 and 234,
surrounded by cores 212 and 240.
winding wire 258 being enclosed by bobbin 256 and overmolding portion 254.
環状巻線232と234との間に配置されている一次巻線220
はコア212および240によって囲まれ
ボビン256とオーバーモールド部254によって囲まれた巻線258
（１１）「 All the metal wire in 
primary winding 220 is totally enclosed by an insulating enclosure,
the insulation enclosure used for primary winding 220 is able to withstand a Hi-Pot test of 3000 VAC.
一次巻線220の金属線は
絶縁エンクロージャによって全体的に囲まれている。
一次巻線220に使用される絶縁エンクロージャは、交流3000Vの耐電圧試験に耐えることができ
（１２）「 As was noted above, 
secondary winding 230 has a large surface area
a large amount of current can be carried by secondary winding 230.
In high frequency operation,
二次巻線230は、
大きな表面積を有し
二次巻線230によって運ばれる電流量を大きくすることができる
高周波動作時
　よって、引用文献１には、次の発明（以下、「引用発明１」という。）が記載されているものと認められる。
「電力変圧器210は、中心磁極214と外側磁極216、218を有する頂部フェライトコア212、絶縁された一次巻線220、２つの環状巻線232、234、及び、中心磁極242と外側磁極244、246を有する底部フェライトコア240を有し（「（７）」より。）、絶縁された一次巻線220は二次巻線230の２つの環状巻線232、234の間に挿入され（「（７）」、「（８）」より。）、フェライトコア212、240は、一次巻線220により発生する磁束を二次巻線230に結合し（「（７）」より。）、
　環状巻線232と234との間に配置されている一次巻線220はコア212および240によって囲まれ、巻線258はボビン256とオーバーモールド部254によって囲まれ（「（１０）」より。）、一次巻線130は、絶縁エンクロージャ140を備え、絶縁エンクロージャ140は、更に、２つの部分、即ち、ボビン112に対応する部分142と、オーバーモールドからなる部分144を含み（「（４）」より。）、
　一次巻線110は、プラスチックから作られ巻線114が巻回されたボビン112を有し（「（３）」より。）、
　ボビン112のために選択されたプラスチックは、オーバーモールド・プラスチック144とともに均質な単一部品を形成するために、溶融及びリフローすることができる熱可塑性樹脂であり（「（５）」より。）、
　オーバーモールド動作では、ボビン112は、金型内に配置され、部分144を形成するオーバーモールド・プラスチックは金型に注入され、射出圧力は、オーバーモールド・プラスチックをボビン112の下方底部に押し出して巻線114に入り（「（６）」より。）、
　頂部フェライトコア212、一次巻線220、二次巻線230と、底部フェライトコア240は、垂直軸線が一致するように同軸上に組み立てられ、一次巻線220および二次巻線230を受け入れるように、頂部フェライトコア212は凹部217を有し、底部フェライトコア240は凹部247を有し、一次巻線220は、頂部フェライトコア212の中心磁極214及び底部フェライトコア240の中心磁極242を受け入れるための孔225を有し、環状巻線232、234の中央開口部は中心磁極214、242が通過でき（「（９）」より。）、
　一次巻線220の金属線は絶縁エンクロージャによって全体的に囲まれ、一次巻線220に使用される絶縁エンクロージャは、交流3000Vの耐電圧試験に耐えることができ（「（１１）」より。）、
　二次巻線230は、大きな表面積を有し、高周波動作時、二次巻線230によって運ばれる電流量を大きくすることができる（「（１２）」より。）、
　電力変圧器210（「（７）」より。）。」
２　引用文献２
　原査定の拒絶の理由に引用された、引用文献２には、図面とともに、次の事項が記載されている（下線は、当審で付与した。）。
「【０００２】
　一般に、電気自動車や大型サーバーなどに使用される電源トランスやＤＣ−ＤＣコンバーターとして、２次側の低圧用コイルに１００Ａ以上の大電流が流れるトランスが用いられている。このようなトランスにおいては、通常、低圧用コイルとして、抵抗値が小さい金属製の平板を用いることにより、上記大電流化の対応を行っている。
【０００３】
　ところで、上記低圧用コイルを金属製の平板で構成した場合には、２次側の低圧用コイルと１次側の高圧用コイルとを層巻き構造にすることができないため、低圧用コイルと高圧用コイルとを分割して配置させる構造を採っていたが、当該構造によっては結合が悪く、所望の特性を得ることが難しいという問題点があった。
【０００４】
　そこで、従来、図５〜図８に示すように、
ボビン４０の巻胴部４０ａに線材ｔが巻回された高圧用コイル２０、および開環リング状の平板部材からなる低圧用コイル３０が互いの軸線方向に交互に積層され
たトランス１０
　よって、引用文献２には、次の技術が記載されているものと認められる。
「ボビン４０の巻胴部４０ａに線材ｔが巻回された高圧用コイル２０、および開環リング状の平板部材からなる低圧用コイル３０が互いの軸線方向に交互に積層されたトランス１０。」
３　引用文献３
　原査定の拒絶の理由に引用された、引用文献３には、図面とともに、次の事項が記載されている（下線は、当審で付与した。）。
（１）　「一方、加工性にすぐれたフッ素樹脂として、
三フッ化塩化エチレン樹脂（ＰＣＴＦＥ）
は電気的には低誘電率、高抵抗で
あり
（２）　「第１表の
架橋助剤を加えたＰＣＴＦＥ組成物を、
成形し、
トランス用ボビンを得た。
　　　　　第１図
　よって、引用文献３には、次の技術が記載されているものと認められる。
「三フッ化塩化エチレン樹脂（ＰＣＴＦＥ）は電気的には低誘電率、高抵抗であり（「（１）」より。）、架橋助剤を加えたＰＣＴＦＥ組成物を成形し、トランス用ボビンを得る（「（２）」より。）技術。」
４　引用文献４
　原査定の拒絶の理由に引用された、引用文献４には、図面とともに、次の事項が記載されている（下線は、当審で付与した。）。
（１）「〔発明の背景〕
　近年、各種電子機器の発達に伴い、リレー、スイチツング、レギレーター等の電子部品に対してより高速化、高性能化が要求される様になった。この為、低誘電率、高抵抗の材料が必要となり、この点で、
四フッ化エチレン樹脂（ＰＴＦＥ）は低誘電率、高抵抗の電気特性をもち、
（２）「〔実施例〕
　第１表の
架橋助剤を加えた樹脂組成物を、
射
トランス用ボビンを成形した。
　第１図
　よって、引用文献４には、次の技術が記載されているものと認められる。
「四フッ化エチレン樹脂（ＰＴＦＥ）は低誘電率、高抵抗の電気特性をもち（「（１）」より。）、架橋助剤を加えた樹脂組成物を、トランス用ボビンに成形する技術（「（２）」より）。」
５　引用文献５
　原査定の拒絶の理由に引用された、引用文献５には、次の事項が記載されている（下線は、当審で付与した。）。
「【００６２】（２）第１樹脂層として用いられるオレフィン系ポリマ（図１〜図４中のＣで示される部分）
ケース内に収容した部品を覆う第１樹脂層として
＜樹脂１：オレフィン系ポリマ＞
高純度ジシクロペンタジエン
配合し
ワニスに
供試した。
　よって、引用文献５には、次の技術が記載されているものと認められる。
「ケース内に収容した部品を覆う第１樹脂層として、高純度ジシクロペンタジエンを配合したワニスを供試する技術。」
６　引用文献６
　原査定の拒絶の理由に引用された、引用文献６には、図面とともに、次の事項が記載されている（下線は、当審で付与した。）。
「【００１２】
【実施例】以下、図１〜図１１を参照しながら本発明の実施例を説明する。図１は、本実施例に係る
スイッチング電源用のトランス
【００１３】このトランスは、図示するように、同軸の磁気コア１と、
一次コイル用ボビン２と二次コイル用ボビン３とを有する。
【００１４】
二次コイル用ボビン３は、一次コイル６を封止するモールド樹脂Ｍにて一体に形成され、
二次コイル用ボビン３の材料としては、一次コイル用ボビン２と同じに熱硬化性樹脂、例えば不飽和ポリエステル系樹脂が用いられる。尚、具体的には、一次コイル用ボビン２として、ＣＥ５１００（商品名：松下電工）を用い、二次コイル用ボビン３として、ＣＥ２８７０（商品名：松下電工）を用いた。
　よって、引用文献６には、次の技術が記載されているものと認められる。
「スイッチング電源用のトランス（【００１２】）は、一次コイル用ボビン２と二次コイル用ボビン３とを有し（【００１３】）、二次コイル用ボビン３は、一次コイル６を封止するモールド樹脂Ｍにて一体に形成され、この二次コイル用ボビン３の材料としては、一次コイル用ボビン２と同じに熱硬化性樹脂、例えば不飽和ポリエステル系樹脂が用いられ、具体的には、一次コイル用ボビン２として、ＣＥ５１００（商品名：松下電工）を用い、二次コイル用ボビン３として、ＣＥ２８７０（商品名：松下電工）を用いる（【００１４】）、技術。」
７　引用文献７
　原査定の拒絶の理由に引用された、引用文献７には、図面とともに、次の事項が記載されている（下線は、当審で付与した。）。
「【０００８】
　図１４の
変圧器は、コア１１０、コア１１０に巻回された１次巻線
テフロン（登録商標）などの絶縁性の材料からなるボビン１３０、及びボビン１３０に巻回された２次巻線１４０を含んでなる。
　よって、引用文献７には、次の技術が記載されているものと認められる。
「コア１１０、コア１１０に巻回された１次巻線、テフロン（登録商標）などの絶縁性の材料からなるボビン１３０、及びボビン１３０に巻回された２次巻線１４０を含んでなる、変圧器。」
８　引用文献８
　原査定の拒絶の理由に引用された、引用文献８には、図面とともに、次の事項が記載されている（下線は、当審で付与した。）。
（１）「本発明に係る絶縁用モールドの実施例を添付図面に基づいて詳細に説明すれば、第１図及び第２図に示すように、
コアー（４）に装着されたボビン（２）をある熱可遡性の合成樹脂で形成し、このボビン（２）に一次コイルと二次コイルからなるコイル（３）を捲着してトランス（１）を形成し、このトランス（１）の外周を、ボビン（２）を形成している熱可遡性合成樹脂と同一の合成樹脂からなる絶縁用モールド（５）で被覆してなる
（２）「次に、本発明に係る絶縁用モールドの製造法は、次の通りである。即ち、トランス（１）を絶縁材で被覆するに当り、このトランス（１）を射出成形機の金型内に配置せしめ、この金型内に熱可遡性合成樹脂を射出せしめ、次いでこの金型を冷却してトランス（１）を熱可遡性合成樹脂で被覆するものである。
　従って、本発明の方法によれば、
トランス（１）は熱可遡性合成樹脂で射出成形法により金型内で被覆されるため、この合成樹脂は、金型内で、この金型とトランス（１）との間の総ての空隙内に気密に行き渡り、
　よって、引用文献８には、次の技術が記載されているものと認められる。
「コアー（４）に装着されたボビン（２）をある熱可遡性の合成樹脂で形成し、このボビン（２）に一次コイルと二次コイルからなるコイル（３）を捲着してトランス（１）を形成し、このトランス（１）の外周を、ボビン（２）を形成している熱可遡性合成樹脂と同一の合成樹脂からなる絶縁用モールド（５）で被覆してなり（「（１）」より。）、トランス（１）は熱可遡性合成樹脂で射出成形法により金型内で被覆されるため、この合成樹脂は、金型内で、この金型とトランス（１）との間の総ての空隙内に気密に行き渡る（「（２）」より。）、技術。」
９　引用文献９
　原査定において周知技術を示す文献として引用された引用文献９には、次の事項が記載されている（下線は、当審で付与した。なお、「τ」については、分数表記に代え、「/」記号で記載した。）。
（１）「4.2.1二層誘電体
　図 4.1 のような均一電界内の二層誘電体を考え、それぞれの厚さを d1、d2、誘電率を ε1、ε2 とし、印加電圧を V とすると、各層に加わる電界の強さ E1、E2 は（4.1）式、（4.2）式で与えられます。
図 4.1 二層誘電体のモデル」（第７９頁第１３−１８行）
（２）「
気体絶縁体と固体絶縁体からなる二層絶縁体においては、一般に、固体の絶縁破壊の強さ E (solid) が気体の絶縁破壊の強さ E (gas) より大きいので、気体の部分で絶縁破壊が起こり
図 4.5 電極端部における部分放電
　図4.1に示した二層誘電体の電界の計算結果を当てはめて求めてみることにします。電極端部のエアギャップに加わる電界を Ea、固体絶縁体試料に加わる電界を Es、
エアギャップの厚さを d、試料の厚みを D、比誘電率をεとし
したがって、エアギャップに加わる電圧 Va は
となります。
厚さ D と誘電率 ε の比をτ=D/εとすると、エアギャップの分担電圧 Va と印加電圧V の関係を表す式は
」(第８２頁第１２行−第８３頁第１３行)
　よって、引用文献９には、次の技術が記載されているものと認められる。
「気体絶縁体と固体絶縁体からなる二層絶縁体においては、一般に、固体の絶縁破壊の強さ E (solid) が気体の絶縁破壊の強さ E (gas) より大きいので、気体の部分で絶縁破壊が起こり、エアギャップの厚さを d、試料の厚みを D、比誘電率をεとし、厚さ D と誘電率 ε の比をτ=D/εとすると、エアギャップの分担電圧 Va と印加電圧V の関係を表す式は
となること。」
第６　対比・判断
１.本願発明１について
（１）対比
　本願発明１と引用発明１とを対比すると、次のことがいえる。
ア　引用発明１では、「頂部フェライトコア212、一次巻線220、二次巻線230と、底部フェライトコア240は、垂直軸線が一致するように同軸上に組み立てられ」、「一次巻線220および二次巻線230を受け入れるように、頂部フェライトコア212は凹部217を有し、底部フェライトコア240は凹部247を有し」、「一次巻線220」は、「孔225」で「頂部フェライトコア212の中心磁極214及び底部フェライトコア240の中心磁極242を受け入れ」、「二次巻線230の２つの」「環状巻線232、234の中央開口部は中心磁極214、242が通過でき」、「頂部フェライトコア212」と「底部フェライトコア240」は「一次巻線220により発生する磁束を二次巻線230に結合し」ているから、引用発明１における「中心磁極214と外側磁極216、218を有する頂部フェライトコア212」と「中心磁極242と外側磁極244、246を有する底部フェライトコア240」が、本願発明１における「磁路を構成する脚部を有するコア」に相当する。
イ　引用発明１における「一次巻線220は、頂部フェライトコア212の中心磁極214及び底部フェライトコア240の中心磁極242を受け入れるための孔225を有し、環状巻線232、234の中央開口部は中心磁極214、242が通過でき」るから、引用発明１における「一次巻線220」、及び「環状巻線232、234」からなる「二次巻線230」が、本願発明１における「前記脚部に巻装される複数の巻線」に相当する。
ウ　引用文献１の摘記事項（２）に記載されているとおり、ボビンは、一次巻線と２つのフェライトコアの間の絶縁を提供するものであるから、引用発明１における「プラスチックから作られ」た「ボビン112」と、本願発明１における「低誘電率と高絶縁性とを有する樹脂材料で成形されたボビン」とは「高絶縁性を有する樹脂材料で成形されたボビン」の点で共通する。
　しかしながら、本願発明１における「ボビン」の樹脂材料は「低誘電」であるのに対し、引用発明１における「ボビン112」の「プラスチック」については、誘電率が明らかでない点で相違する。
エ　引用発明１における「一次巻線220に使用される絶縁エンクロージャは、交流3000Vの耐電圧試験に耐えることができ」るとされているから、引用発明１における「一次巻線220」が本願発明１における「前記複数の巻線のうち高電圧が印加される巻線」に相当する。
オ　引用発明１における「一次巻線110は、プラスチックから作られ巻線114が巻回されたボビン112を有し、ボビン112のために選択されたプラスチックは、オーバーモールド・プラスチック144とともに均質な単一部品を形成するために、溶融及びリフローすることができる熱可塑性樹脂であり、」「オーバーモールド動作では、ボビン112は、金型内に配置され、部分144を形成するオーバーモールド・プラスチックは金型に注入され、射出圧力は、オーバーモールド・プラスチックをボビン112の下方底部に押し出して巻線114に入」ることと、本願発明１における「前記複数の巻線のうち高電圧が印加される巻線は、前記ボビンに巻き回されているとともに、前記ボビンを形成する前記樹脂材料と同一の樹脂材料で気密封止されることによって、前記ボビンと一体に形成されており、」とは「前記複数の巻線のうち高電圧が印加される巻線は、前記ボビンに巻き回されているとともに、樹脂材料で気密封止されることによって、前記ボビンと一体に形成されており、」の点で共通する。
　しかしながら、本願発明１では気密封止の樹脂材料が「前記ボビンを形成する前記樹脂材料と同一」の樹脂材料であるのに対し、引用発明１では「オーバーモールド・プラスチック」は「ボビン112のために選択されたプラスチック」と「均質な単一部品を形成する」ものの、「ボビン112のために選択されたプラスチック」と同一であることは示されていない点で相違する。。
カ　本願発明１では「二層誘電体モデルにおいて、下記（１）式で表される、前記コアと前記高電圧が印加される巻線との間の空気層での部分放電開始電圧（Vpd）が、所定の電圧値となるように、前記コアと前記高電圧が印加される巻線との間の前記空気層の厚さ（d1）と、前記コアと前記高電圧が印加される巻線との間の前記樹脂材料の厚さ（d2）と、比誘電率（εr）を有する前記樹脂材料とが選択され、
　Vpd = {d1+(d2/εr)}・Vp/d1      （１）
　Vpd；部分放電開始電圧[Vrms]、
　Vp；パッシェン（Paschen）電圧[Vrms]、
　d1；空気層の厚さ[m]、
　d2；樹脂材料の厚さ[m]、
　εr；樹脂材料の比誘電率、」であるのに対し、引用発明１ではそのような選択は示されていない点で相違する。
キ　本願発明１では「前記樹脂材料は、ジシクロペンタジエン、ＰＴＦＥ（四フッ化エチレン）、ＰＳ（ポリスチレン）、ＰＥ（ポリエチレン）、ＡＢＳ（スチレン・ブタジエン・アクリロニトリル共重合体）、及びＡＳ（スチレン・アクリロニトリル共重合体）の中から選択された少なくとも１種の樹脂材料である」のに対し、引用発明１では「ボビン112のために選択されたプラスチック」と、「射出」される「オーバーモールド・プラスチック」とが、ともに「熱可塑性樹脂」であることは明らかであるものの、具体的な材料が特定されていない点で相違する。
ク　引用発明１における「電力変圧器210」は、「交流3000Vの耐電圧試験に耐え」、「高周波動作」するものであるから、本願発明１における「高電圧高周波絶縁トランス」に相当する。
　したがって、本願発明１と引用発明１との間には、次の一致点、相違点があるといえる。
（一致点）
「磁路を構成する脚部を有するコアと、
　前記脚部に巻装される複数の巻線と、
　高絶縁性を有する樹脂材料で成形されたボビンと、を備え、
　前記複数の巻線のうち高電圧が印加される巻線は、前記ボビンに巻き回されているとともに、樹脂材料で気密封止されることによって、前記ボビンと一体に形成されている、
　高電圧高周波絶縁トランス。」
（相違点１）　
　本願発明１における「ボビン」の樹脂材料は「低誘電」であるのに対し、引用発明１における「ボビン112」の「プラスチック」については、誘電率が明らかでない点。
（相違点２）
　本願発明１では気密封止の樹脂材料が「前記ボビンを形成する前記樹脂材料と同一」の樹脂材料であるのに対し、引用発明１では「オーバーモールド・プラスチック」は「ボビン112のために選択されたプラスチック」と「均質な単一部品を形成する」ものの、「ボビン112のために選択されたプラスチック」と同一であることは示されていない点。
（相違点３）
　本願発明１では「二層誘電体モデルにおいて、下記（１）式で表される、前記コアと前記高電圧が印加される巻線との間の空気層での部分放電開始電圧（Vpd）が、所定の電圧値となるように、前記コアと前記高電圧が印加される巻線との間の前記空気層の厚さ（d1）と、前記コアと前記高電圧が印加される巻線との間の前記樹脂材料の厚さ（d2）と、比誘電率（εr）を有する前記樹脂材料とが選択され、
　Vpd = {d1+(d2/εr)}・Vp/d1     （１）
　Vpd；部分放電開始電圧[Vrms]、
　Vp；パッシェン（Paschen）電圧[Vrms]、
　d1；空気層の厚さ[m]、
　d2；樹脂材料の厚さ[m]、
　εr；樹脂材料の比誘電率、」であるのに対し、引用発明１ではそのような選択は示されていない点。
（相違点４）
　本願発明１では「前記樹脂材料は、ジシクロペンタジエン、ＰＴＦＥ（四フッ化エチレン）、ＰＳ（ポリスチレン）、ＰＥ（ポリエチレン）、ＡＢＳ（スチレン・ブタジエン・アクリロニトリル共重合体）、及びＡＳ（スチレン・アクリロニトリル共重合体）の中から選択された少なくとも１種の樹脂材料である」のに対し、引用発明１では「ボビン112のために選択されたプラスチック」と「射出」される「オーバーモールド・プラスチック」とが、ともに「熱可塑性樹脂」であることは明らかであるものの、具体的な材料が特定されていない点。
（２）相違点についての判断
　事案に鑑みて、まず、相違点１と相違点３とを併せて検討する。
　引用文献９に記載された技術を再掲すれば、次のとおりである。
「気体絶縁体と固体絶縁体からなる二層絶縁体においては、一般に、固体の絶縁破壊の強さ E (solid) が気体の絶縁破壊の強さ E (gas) より大きいので、気体の部分で絶縁破壊が起こり、エアギャップの厚さを d、試料の厚みを D、比誘電率をεとし、厚さ D と誘電率 ε の比をτ=D/εとすると、エアギャップの分担電圧 Va と印加電圧 V の関係を表す式は
となること。」
　上記(4.10)式における「試料の厚み」「D」が、本願発明１における「ボビン」の「樹脂材料」「の厚さ」「d2」に相当する。また、上記(4.10)式における「エアギャップの厚さ」「d」が、本願発明１における「コアと前記高電圧が印加される巻線との間の空気層」「の厚さ」「d1」に相当する。
　しかしながら、引用文献９には、上記(4.10)式を「コア」と「ボビン」との間の「気体の絶縁破壊」に適用することは、記載も示唆もされていない。
　また、引用文献１の摘記事項（２）には、「ボビン56は、一次巻線58と２つのフェライトコア54, 72の間の絶縁を提供する。」と記載されているが、該記載は、ボビン56が、一次巻線58と２つのフェライトコア54, 72の間の短絡を防止する機能を有することを意味するにすぎず、ボビン56とコアとの間の空気層で絶縁破壊(部分放電)が生ずる可能性があることを示す記載ではない。
　さらに、引用文献３、引用文献４及び引用文献７は、それぞれトランス用のボビンを「低誘電率、高抵抗」という電気的特性を有する「三フッ化塩化エチレン樹脂（ＰＣＴＦＥ）」や「四フッ化エチレン樹脂（ＰＴＦＥ）」、「テフロン（登録商標）」で形成することを示すにすぎず、トランス用ボビンを「低誘電率」な樹脂で形成することで「ボビン」と「コア」との間の空気層における電界を緩和し、該空気層で絶縁破壊（部分放電）が生ずるのを防止することができることまで教示するものではない。
　また、引用文献６、引用文献８は、トランスのボビンを形成する樹脂とコイルのモールド樹脂の異同について記載しているにすぎす、「ボビン」と「コア」との間の空気層における絶縁破壊（部分放電）については、記載も示唆もされていない。
　さらに、引用文献５にも「ジシクロペンタジエン」を配合した注型用のワニスが示されているに過ぎす゛、引用文献２にも、ボビンの具体的な材料は記載されていない。
　よって、いずれの引用文献にも、高電圧高周波絶縁トランスにおける、「ボビン」と「コア」との間の空気層における電界を緩和し、該空気層で絶縁破壊（部分放電）が生ずるのを防止するために「ボビン」を「低誘電率」な樹脂で形成することは記載も示唆もされていないのであるから、高電圧高周波絶縁トランスにおけるボビンの誘電率を、「コアと前記高電圧が印加される巻線との間の前記空気層の厚さ（d1）」と、「前記コアと前記高電圧が印加される巻線との間の前記樹脂材料の厚さ（d2）」との関係において、「（１）式」で表されるような、比誘電率（εr）を有する樹脂材料を選択して上記相違点１及び相違点３に係る構成とすることは、当業者といえども、容易になし得たことではない。
　
　したがって、本願発明１は、相違点２、４について検討するまでもなく、当業者であっても引用文献１に記載された発明及び引用文献２−９に記載された技術に基づいて容易に発明できたものであるとはいえない。
２.本願発明２ないし７について
　請求項２ないし７は、請求項１を引用する請求項である。よって、本願発明２ないし７も、本願発明１と同じく、「ボビン」の樹脂材料は「低誘電」であり、「二層誘電体モデルにおいて、下記（１）式で表される、前記コアと前記高電圧が印加される巻線との間の空気層での部分放電開始電圧（Vpd）が、所定の電圧値となるように、前記コアと前記高電圧が印加される巻線との間の前記空気層の厚さ（d1）と、前記コアと前記高電圧が印加される巻線との間の前記樹脂材料の厚さ（d2）と、比誘電率（εr）を有する前記樹脂材料とが選択され、」（（１）式の記載は省略した。）という構成を有しているから、本願発明１と同じ理由により、当業者であっても、引用文献１に記載された発明及び引用文献２−９に記載された技術に基づいて容易に発明できたものとはいえない。
第７　原査定について
１.理由１（特許法第３６条第６項第２号）について
　審判請求時の補正により、請求項１は、「低誘電率と高絶縁性とを有する樹脂材料で成形され
た
二
で表される
での
（Vpd）が、所定の電圧値となるように、前記コアと前記高電圧が印加される巻線との間の前記空気層の厚さ（d1）と、前記コアと前記高電圧が印加される巻線との間の前記樹脂材料の厚さ（d2）と、比誘電率（εr）を有する前記樹脂材料とが選択され、
　Vpd = {d1+(d2/εr)}・Vp/d1     （１）
　Vpd；部分放電開始電圧[Vrms]、
　Vp；パッシェン（Paschen）電圧[Vrms]、
　d1；空気層の厚さ[m]、
　d2；
樹脂材料の
　εr；
樹脂材料の
　
前記樹脂材料は、ジシクロペンタジエン、ＰＴＦＥ（四フッ化エチレン）、ＰＳ（ポリスチレン）、ＰＥ（ポリエチレン）、ＡＢＳ（スチレン・ブタジエン・アクリロニトリル共重合体）、及びＡＳ（スチレン・アクリロニトリル共重合体）の中から選択された少なくとも１種の樹脂材料である
２.理由２（特許法第２９条第２項）について
　審判時の補正により、本願発明１ないし７は、「ボビン」の樹脂材料が「低誘電率」であり、「二層誘電体モデルにおいて、下記（１）式で表される、前記コアと前記高電圧が印加される巻線との間の空気層での部分放電開始電圧（Vpd）が、所定の電圧値となるように、前記コアと前記高電圧が印加される巻線との間の前記空気層の厚さ（d1）と、前記コアと前記高電圧が印加される巻線との間の前記樹脂材料の厚さ（d2）と、比誘電率（εr）を有する前記樹脂材料とが選択され、」（（１）式の記載は省略した。）という事項を有するものとなっており、当業者であっても、拒絶査定において引用された引用文献１−９に基づいて、容易に発明できたものとはいえない。
　したがって、原査定の理由２を維持することはできない。
第８　むすび
　以上のとおり、原査定の理由によっては、本願を拒絶することはできない。
　また、他に本願を拒絶する理由を発見しない。
　よって、結論のとおり審決する。